(57)【要約】【課題】  遊技盤上に複数の入賞装置を設けて遊技性を高める。【解決手段】  パチンコ機ＰＭが、遊技盤２０の前面に取り付けられ遊技盤２０上を落下する遊技球を受容可能な複数の入賞装置４０，４０´とを備え、入賞装置４０，４０´が、遊技盤２０に設けられた始動用開口５２に取り付けられ遊技盤２０の上方に向けて開口し遊技球を受容して始動用開口５２内へと誘導する受容部材５１を有する始動入賞具５０と、遊技盤２０に始動入賞具５０に対して横方向に隣接して並設された左大入賞用開口６２および右大入賞用開口７２に取り付けられ、直立した状態で大入賞用開口６２，７２を閉鎖する閉鎖位置と遊技盤２０に対して上端が前方に傾斜した状態で遊技球を受容して大入賞用開口６２，７２内へと誘導する開放位置との間で変位可能な開閉扉６１，７１を有する大入賞具６０，７０とを有して構成される。【選択図】  図３
2006075186.tif 000002
【特許請求の範囲】
【請求項１】
遊技盤と、前記遊技盤の前面に取り付けられ前記遊技盤上を落下する遊技球を受容可能な入賞装置とを備え、前記入賞装置への遊技球の入賞に応じて所定の数の遊技球を賞球として払い出す遊技を行う弾球遊技機において、
前記入賞装置が、前記遊技盤に設けられた前記通常入賞用開口に取り付けられ前記遊技盤の上方に向けて開口し遊技球を受容して前記通常入賞用開口内へと誘導する受容部材と前記通常入賞用開口内に設けられ遊技球の通過を検出する通常入賞用検出手段とからなる通常入賞具と、前記遊技盤に前記通常入賞具に対して横方向に隣接して並設された前記特別入賞用開口に取り付けられ、直立した状態で前記特別入賞用開口を閉鎖する閉鎖位置と前記遊技盤に対して上端が前方に傾斜した状態で遊技球を受容して前記特別入賞用開口内へと誘導する開放位置との間で変位可能な開閉部材と前記特別入賞用開口内に設けられ遊技球の通過を検出する特別入賞用検出手段とからなる特別入賞具とを有して構成され、
前記遊技盤の前面に複数の前記入賞装置が設けられていることを特徴とする弾球遊技機の入賞装置。
【請求項２】
遊技盤と、前記遊技盤の前面に取り付けられ前記遊技盤上を落下する遊技球を受容可能な入賞装置とを備え、前記入賞装置への遊技球の入賞に応じて所定の数の遊技球を賞球として払い出す遊技を行う弾球遊技機において、
前記入賞装置が、前記遊技盤に取り付けられ直立した第１の位置と前記遊技盤に対して上端が前方に傾斜した第２の位置との間で変位可能な可動部材と、前記遊技盤に設けられた通常入賞用開口下部に取り付けられ前記遊技盤の上方に向けて開口する受容部材と、前記通常入賞用開口内に設けられ遊技球の通過を検出する通常入賞用検出手段と、前記通常入賞用開口に対して横方向に隣接して形成された特別入賞用開口内に設けられ遊技球の通過を検出する特別入賞用検出手段とから構成され、
前記可動部材が前記特別入賞用開口を閉鎖可能な扉部と前記通常入賞用開口を被覆可能な開口形成部とを有し、
前記可動部材が前記第１の位置に位置するときには、前記扉部が前記特別入賞用開口を閉鎖し、前記開口形成部が前記通常入賞用開口上部を前記遊技盤の前面側に突出して前記遊技盤の上方に向けて開口を形成した状態に覆うことにより前記開口形成部と前記受容部材とが遊技球を受容して前記通常入賞用開口内へと誘導し、
前記可動部材が前記第２の位置に位置するときには、前記扉部が遊技球を受容して前記特別入賞用開口内へと誘導するように構成され、
前記遊技盤の前面に複数の前記入賞装置が設けられていることを特徴とする弾球遊技機の入賞装置。
【請求項３】
遊技盤と、前記遊技盤の前面に取り付けられ前記遊技盤上を落下する遊技球を受容可能な入賞装置とを備え、前記入賞装置への遊技球の入賞に応じて所定の数の遊技球を賞球として払い出す遊技を行う弾球遊技機において、
前記入賞装置が、前記遊技盤に設けられた第１の通常入賞用開口に取り付けられ前記遊技盤の上方に向けて開口し遊技球を受容して前記第１の通常入賞用開口内へと誘導する第１の受容部材と前記第１の通常入賞用開口内に設けられ遊技球の通過を検出する第１の通常入賞用検出手段とからなる第１の通常入賞具と、前記第１の通常入賞用開口に隣接する第１の特別入賞用開口に取り付けられ、直立した状態で前記第１の特別入賞用開口を閉鎖する閉鎖位置と前記遊技盤に対して上端が前方に傾斜した状態で遊技球を受容して前記第１の特別入賞用開口内へと誘導する開放位置との間で変位可能な開閉部材と前記第１の特別入賞用開口内に設けられ遊技球の通過を検出する第１の特別入賞用検出手段とからなる第１の特別入賞具とを有して構成される第１の前記入賞装置と、
前記遊技盤に取り付けられ直立した第１の位置と前記遊技盤に対して上端が前方に傾斜した第２の位置との間で変位可能な可動部材と、前記遊技盤に設けられた第２の通常入賞用開口下部に取り付けられ前記遊技盤の上方に向けて開口する第２の受容部材と、前記第２の通常入賞用開口内に設けられ遊技球の通過を検出する第２の通常入賞用検出手段と、前記第２の通常入賞用開口に隣接する第２の特別入賞用開口内に設けられ遊技球の通過を検出する第２の特別入賞用検出手段とから構成され、前記可動部材が前記第２の特別入賞用開口を閉鎖可能な扉部と前記第２の通常入賞用開口を被覆可能な開口形成部とを有し、
前記可動部材が前記第１の位置に位置するときには、前記扉部が前記第２の特別入賞用開口を閉鎖し、前記開口形成部が前記第２の通常入賞用開口上部を前記遊技盤の前面側に突出して前記遊技盤の上方に向けて開口を形成した状態に覆うことにより前記開口形成部と前記受容部材とが遊技球が受容して前記第２の通常入賞用開口内へと誘導し、前記可動部材が前記第２の位置に位置するときには、前記扉部が遊技球を受容して前記第２の特別入賞用開口内へと誘導する第２の前記入賞装置とから構成されていることを特徴とする弾球遊技機の入賞装置。
【発明の詳細な説明】
【技術分野】
【０００１】
本発明は、遊技盤と遊技盤上であって遊技領域の下部に設けられた入賞装置とを備え、遊技球が当該入賞装置に入賞するよう遊技を行う弾球遊技機の入賞装置に関する。
【背景技術】
【０００２】
従来から弾球遊技機（パチンコ機）における入賞装置の１つとして、いわゆる「アタッカー」と呼ばれるタイプの入賞装置が知られている。このアタッカー型の入賞装置は、遊技盤に設けられた図柄表示装置の下方において形成された入賞用開口に開閉部材を取り付けた構造を有した大入賞具になっていて、常時は開閉部材が直立して当該入賞用開口を閉塞する一方、例えば、以下に述べる所定の条件が成立すると当該開閉部材が前傾して大入賞具が開放され、遊技盤上を落下してくる遊技球を開閉部材が受け入れて、遊技球を入賞用開口内へ誘導するようになっている。
【０００３】
大入賞具が開放されるための条件として、遊技盤上に大入賞具とは別途設けられた始動入賞具への入賞を契機とするものがよく知られている。すなわち、当該始動入賞具への入賞があった場合には、遊技盤上における始動入賞具の上方に設けられた図柄表示装置の変動表示が開始され、当該図柄表示装置における複数の図柄が、所定の組合せからなるものが停止表示されと、いわゆる「大当たり遊技」が発生する。この大当たり遊技においては、普段は閉鎖している大入賞具が開放される。
【０００４】
大入賞具は、開放されてから所定の時間経過するか、又は大入賞具に所定の数の遊技球の入賞があった場合に一旦閉鎖する。そして、この大入賞具が開放している間に、大入賞具の内部に設けられた特定領域（いわゆるＶゾーン）への入賞があると、大入賞具は一旦閉鎖した後、再度開放することとなっている。このような大入賞具を有して構成される入賞装置については、例えば、特許文献１にも記載されている。
【特許文献１】特開２００３−２３６０８１号公報
【発明の開示】
【発明が解決しようとする課題】
【０００５】
ところで、上記のように構成された入賞装置においては、前述したように、所定の大きさの大入賞具と、この大入賞具を開放させるための契機として用いられる始動入賞具とが遊技盤上において離れた位置に設けられた構成になっており、これらの入賞具によって遊技盤上における図柄表示装置の下方のスペースが占められていた。しかしながら近年、パチンコ機では、その遊技盤前面に設けられる液晶パネル等からなる図柄表示装置が、図柄その他の情報を多彩に表示可能とするために大型化しており、遊技盤における図柄表示装置の設置場所を確保するために遊技盤に設けられる入賞装置の小型化が望まれている。
【０００６】
以上のような課題に鑑みて、本発明では遊技盤上の場所をなるべく取らないような入賞装置を設けて、確保できたスペースに新たな入賞具を複数設置したり、あるいは、図柄表示装置を従来のものに比べて大きくするといったことのできる弾球遊技機の入賞装置を提供することを目的とする。
【課題を解決するための手段】
【０００７】
上記課題を解決するために、本発明に係る弾球遊技機の入賞装置は、遊技盤と、遊技盤の前面に取り付けられ遊技盤上を落下する遊技球を受容可能な入賞装置とを備え、入賞装置への遊技球の入賞に応じて所定の数の遊技球を賞球として払い出す遊技を行う弾球遊技機において、入賞装置が、遊技盤に設けられた通常入賞用開口に取り付けられ遊技盤の上方に向けて開口し遊技球を受容して通常入賞用開口内へと誘導する受容部材と通常入賞用開口内に設けられ遊技球の通過を検出する通常入賞用検出手段とからなる通常入賞具と、遊技盤に通常入賞具に対して横方向に隣接して並設された特別入賞用開口に取り付けられ、直立した状態で特別入賞用開口を閉鎖する閉鎖位置と遊技盤に対して上端が前方に傾斜した状態で遊技球を受容して特別入賞用開口内へと誘導する開放位置との間で変位可能な開閉部材と特別入賞用開口内に設けられ遊技球の通過を検出する特別入賞用検出手段とからなる特別入賞具とを有して構成され、遊技盤の前面に複数の入賞装置が設けられている。
【０００８】
また、上記課題を解決するために、本発明に係る弾球遊技機の入賞装置は、遊技盤と、遊技盤の前面に取り付けられ遊技盤上を落下する遊技球を受容可能な入賞装置とを備え、入賞装置への遊技球の入賞に応じて所定の数の遊技球を賞球として払い出す遊技を行う弾球遊技機において、入賞装置が、遊技盤に取り付けられ直立した第１の位置と遊技盤に対して上端が前方に傾斜した第２の位置との間で変位可能な可動部材と、遊技盤に設けられた通常入賞用開口下部に取り付けられ遊技盤の上方に向けて開口する受容部材と、通常入賞用開口内に設けられ遊技球の通過を検出する通常入賞用検出手段と、通常入賞用開口に対して横方向に隣接して形成された特別入賞用開口内に設けられ遊技球の通過を検出する特別入賞用検出手段とから構成され、可動部材が特別入賞用開口を閉鎖可能な扉部と通常入賞用開口を被覆可能な開口形成部とを有し、可動部材が第１の位置に位置するときには、扉部が特別入賞用開口を閉鎖し、開口形成部が通常入賞用開口上部を遊技盤の前面側に突出して遊技盤の上方に向けて開口を形成した状態に覆うことにより開口形成部と受容部材とが遊技球を受容して通常入賞用開口内へと誘導し、可動部材が第２の位置に位置するときには、扉部が遊技球を受容して特別入賞用開口内へと誘導するように構成され、遊技盤の前面に複数の入賞装置が設けられているように構成してもよい。
【０００９】
さらに、上記課題を解決するために、本発明に係る弾球遊技機の入賞装置は、遊技盤と、遊技盤の前面に取り付けられ遊技盤上を落下する遊技球を受容可能な入賞装置とを備え、入賞装置への遊技球の入賞に応じて所定の数の遊技球を賞球として払い出す遊技を行う弾球遊技機において、入賞装置が、遊技盤に設けられた第１の通常入賞用開口に取り付けられ遊技盤の上方に向けて開口し遊技球を受容して第１の通常入賞用開口内へと誘導する第１の受容部材と第１の通常入賞用開口内に設けられ遊技球の通過を検出する第１の通常入賞用検出手段とからなる第１の通常入賞具と、第１の通常入賞用開口に隣接する第１の特別入賞用開口に取り付けられ、直立した状態で第１の特別入賞用開口を閉鎖する閉鎖位置と遊技盤に対して上端が前方に傾斜した状態で遊技球を受容して第１の特別入賞用開口内へと誘導する開放位置との間で変位可能な開閉部材と第１の特別入賞用開口内に設けられ遊技球の通過を検出する第１の特別入賞用検出手段とからなる第１の特別入賞具とを有して構成される第１の入賞装置と、遊技盤に取り付けられ直立した第１の位置と遊技盤に対して上端が前方に傾斜した第２の位置との間で変位可能な可動部材と、遊技盤に設けられた第２の通常入賞用開口下部に取り付けられ遊技盤の上方に向けて開口する第２の受容部材と、第２の通常入賞用開口内に設けられ遊技球の通過を検出する第２の通常入賞用検出手段と、第２の通常入賞用開口に隣接する第２の特別入賞用開口内に設けられ遊技球の通過を検出する第２の特別入賞用検出手段とから構成され、可動部材が第２の特別入賞用開口を閉鎖可能な扉部と第２の通常入賞用開口を被覆可能な開口形成部とを有し、可動部材が第１の位置に位置するときには、扉部が第２の特別入賞用開口を閉鎖し、開口形成部が第２の通常入賞用開口上部を遊技盤の前面側に突出して遊技盤の上方に向けて開口を形成した状態に覆うことにより開口形成部と受容部材とが遊技球が受容して第２の通常入賞用開口内へと誘導し、可動部材が第２の位置に位置するときには、扉部が遊技球を受容して第２の特別入賞用開口内へと誘導する第２の入賞装置とから構成されているようにしてもよい。
【発明の効果】
【００１０】
本発明に関する弾球遊技機の入賞装置によれば、始動用開口と大入賞用開口とが遊技盤上に隣接されているため、従来は始動用開口（始動入賞具）と大入賞用開口（大入賞具）とを離れた位置に設置するために必要であった遊技盤上の取付スペースを、新たな入賞装置を設置するために利用することができたり、この取付スペースを図柄表示装置を大きくするために利用することができる。
【００１１】
また、複数の入賞装置を遊技盤上に設けることにより、遊技盤上を落下する遊技球の落下経路によっては、複数の入賞装置のうちの一方の入賞装置に入賞し易かったり、あるいは、他方の入賞装置に入賞し易かったりするために遊技性が高まり、バリエーションに富んだ遊技を実行させることができる。
【発明を実施するための最良の形態】
【００１２】
以下、本発明に係る弾球遊技機の入賞装置の実施の形態について、添付図面を参照しながら説明する。
【実施例１】
【００１３】
ここではまず、第１の実施の形態について、図１乃至図１３を用いて詳細に説明する。なお、図１は上記弾球遊技機の一例として説明するパチンコ機の外観正面図で、図２はパチンコ機の裏面側を示す背面図で、図３はパチンコ機の遊技盤上に設けられた複数の入賞装置を示す正面図で、図４は入賞装置に設けられた開口部を示す正面図で、図５はパチンコ機に設けられた入賞装置周辺を示す斜視図で、図６は入賞装置に設けられた開閉扉周辺を示す平断面図で、図７は入賞装置を示す平断面図で、図８は図７中の矢印Ｃ−Ｃに沿った部分断面図で、図９は図７中の矢印Ａ−Ａに沿った部分側断面図で、図１０は図７中の矢印Ｂ−Ｂに沿った部分側断面図である。また、図１１はパチンコ機に設けられている制御システムの概略を表したブロック図で、図１２および図１３はパチンコ機における遊技の概要を示すフローチャートである。
【００１４】
ここではまず、上記弾球遊技機の一例として説明するパチンコ機ＰＭの概要構成を図１乃至図３を参照して説明する。このパチンコ機ＰＭは、外郭方形枠サイズに構成されて縦向きの固定保持枠をなす外枠１の開口前面に、これに合わせた方形枠サイズに構成されて開閉搭載用の前枠２が正面左側上下に配設されたヒンジ部材３ａ，３ｂにより横開き開閉および着脱が可能に取り付けられ、正面右側に設けられた施錠装置４を利用して通常は外枠１と係合された閉鎖状態に保持される。
【００１５】
前枠２の正面側には、前枠２の前面域に合わせた方形状をなし中央部に取り付けられたポリカーボネート板やガラス板等の透明板材５ａ（図９もしくは図１０参照）を通して遊技盤２０を透視可能なガラス扉５が、さらにガラス扉５の下部には遊技球を整列させて１個ずつ前枠２の裏面に設けられた打球発射装置９に導く上球皿６が、ともに左側縁に内蔵されたヒンジ機構により前枠２に対して横開き開閉および着脱が可能に組み付けられる。ガラス扉５および上球皿６は、通常は施錠装置４および図示しないロック機構を利用して前枠２の前面を覆う閉止状態で保持される。また、前枠２の下部には下球皿７が設けられ、この下球皿７と並んで遊技球の発射操作を行う操作ハンドル８が取り付けられている。
【００１６】
遊技盤２０は、板厚１９ｍｍ程度の積層合板を所定形状に切断等して、その表面に所定意匠のセルを貼り付けた化粧板（ベニヤとも称される）２１を基板として構成される。化粧板２１の前面側には、帯状の外レール２３ａおよび内レール２３ｂが円弧状に固設され、これらの案内レール２３ａ，２３ｂで囲まれた内側に遊技領域ＰＡが区画される。遊技領域ＰＡには、図柄表示装置２８の下方に設けられ始動入賞具５０を挟んで左大入賞具６０および右大入賞具７０が隣接して並設された第１の入賞装置４０、図柄表示装置２８の斜め左下方に設けられ、始動入賞具５０´を挟んで左大入賞具６０´および右大入賞具７０´が隣接して並設された第２の入賞装置４０´、一般入賞具２５、さらに遊技の進行状況に応じて所定の図柄を表示させる図柄表示装置２８などが取り付けられ、遊技領域ＰＡの下端には入賞装置４０，４０´や一般入賞具２５に入賞せずに落下した遊技球を遊技盤２０の裏面側に排出させるアウト口２７が設けられている。また、図柄表示装置２８は、遊技盤２０のほぼ中央に位置しており、この図柄表示装置２８は、３桁の絵柄の組合せから成る「特別図柄」を液晶画面にて変動表示させる図柄表示画面を有して構成されている。さらに、図柄表示装置２８の上方には４個の特別図柄保留ランプ２９，２９，２９，２９が設けられている。
【００１７】
図２に示すように、前枠２の裏面下部には、遊技球を外レール２３ａに向けて発射する打球発射装置９、および操作ハンドル８の回動操作を受けて打球発射装置９の作動を制御する発射装置制御基板２００が取り付けられている。また、上球皿６の背後には、通常は閉鎖保持される上球皿６によりその前面側が覆われている遊技補助盤と称される補助機構部が形成され、その前面側に打球発射装置９によって打ち出された遊技球を外レール２３ａに向けて案内する発射レールや、遊技領域ＰＡに到達できずに打球発射装置９側に戻ってきたファール球を下球皿７に排出させるファール球回収経路部材、遊技の展開状況に応
じた効果音を発生させるスピーカなどが取り付けられている。
【００１８】
また、前枠２の背後には、裏セット盤３０が取り付けられている。この裏セット盤３０は、外枠１の内寸サイズよりも幾分小さめの方形状をなし、中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を前枠２側の上下の固定ヒンジ部材１２，１３に係合させて揺動させあるいは係脱させることで、裏セット盤３０が前枠２の背後に横開き開閉および着脱可能に装備され、通常は３箇所の閉鎖レバー３４を利用して前枠２の背面を覆うように閉鎖保持される。
【００１９】
裏セット盤３０には、窓口３１ｗを取り囲むようにして賞球を払い出すための賞球経路が設けられる。すなわち、基枠体３１の裏面側には、遊技球の貯留・供給を行うタンク部材３５、タンク部材３５から供給される遊技球を整列させて流下させる整列樋部材３６、整列樋部材３６から供給される遊技球を受けて所定数量の遊技球を待機保持させる賞球待機通路３７、賞球待機通路３７に待機された遊技球を所定の入賞条件等に基いて払い出す球払出装置３８、球払出装置３８から払い出された遊技球を上下の球皿６，７に導く賞球払出経路３９などの賞球経路が設けられている。また、基枠体３１の前面側には、窓口３１ｗの下方に位置して遊技盤２０の裏面側に排出されたアウト球およびセーフ球、球抜き機構によって賞球経路の途上から排出された抜き球等を集合させる図示しない集合経路が形成され、基枠体３１の裏面側には集合経路と繋がって集合された遊技球を遊技施設側の回収バケットに排出させる図示しない球排出経路が形成されている。
【００２０】
裏セット盤３０の裏面各部には、パチンコ機ＰＭの作動を統括的に制御する主基板７００や、主基板７００からの指令信号を受けて、ソレノイドに向けて制御信号を出力するソレノイド中継基板８００、主基板７００からの指令信号に基いて球払出装置３８の作動制御を行う球払出基板３００、効果照明や効果音の作動制御を行うランプ・音声制御基板４００、これらの制御基板や各種電子機器等に電力を供給する電源基板５００などの回路基板が着脱交換可能に取り付けられ、これら各回路基板や電子機器が図示しないワイヤーハーネスで接続されてパチンコ機ＰＭが構成される。
【００２１】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２２】
次に、本発明に係る入賞装置について図４から図１０を加えて説明する。なお、第１の入賞装置４０と第２の入賞装置４０´とは同じ構成を有しているため、以下では、第１の入賞装置４０（以下、「入賞装置４０」という。）を例に、本発明に係る入賞装置について説明する。
【００２３】
図柄表示装置２８の下方には、入賞装置４０を遊技盤２０に取り付けて固定するための図示しない配設孔が設けられており、この配設孔は、遊技盤２０の前面に形成される遊技領域ＰＡから遊技盤２０の裏面側へと貫通形成されている。また、入賞装置４０は、後述するソレノイド類が収納され上記配設孔内に取付可能な直方体状の筐体４１と、筐体４１の前面側を覆う平板状の取付板４２とを有して構成され、筐体４１を配設孔内に遊技盤２０の表側から装入し、取付板４２に形成された４箇所の取付孔４２ｂ，４２ｂ，…を介して遊技盤２０の前面にビス止めすることで入賞装置４０が遊技盤２０に固設される。
【００２４】
筐体４１前面には開口部が形成されており、この開口部と略同一の大きさの開口域を有する取付板４２が筐体４１を覆うことにより、入賞装置４０の前面には遊技球を受容可能な矩形状の開口４５が形成される。そして、入賞装置４０に形成された当該開口４５は、３箇所の開口、すなわち始動用開口５２、この始動用開口５２を挟んで左側に左大入賞用開口６２、右側に右大入賞用開口７２とから構成されている。なお、筐体４１内部は複数の入賞空間に仕切られており、これらのうち始動用開口５２から連通する入賞空間は、左右の大入賞用開口６２，７２から連通する入賞空間とは隔絶されている。
【００２５】
また、左大入賞用開口６２および右大入賞用開口７２はともに左右に同一の長さを有しており、左大入賞用開口６２に左開閉扉６１が開閉自在に取り付けられて左大入賞具６０を構成し、右大入賞用開口７２に右開閉扉７１が開閉自在に取り付けられて右大入賞具７０を構成する。
【００２６】
始動用開口５２の前面は、遊技盤２０の上方に向けて開口した平面視Ｕ字形の受容部材５１によりその一部が覆われていて、この受容部材５１が始動入賞具５０を構成する。図９に示すように、受容部材５１の内側は曲面５１ａが形成され、始動入賞具５０に落入した遊技球がこの曲面５１ａにより案内されて始動用開口５２内へと誘導されるようになっている。始動用開口５２は、その左右開口幅が遊技球の外径よりも大きく形成されており、遊技球が１球ずつこの始動用開口５２内に進入できるようになっている。始動用開口５２内には、平面視でコの字形に形成された仕切壁１０７が設けられ、始動用開口５２の内部は後述する右転がり面１０１および左転がり面１０２とは隔絶されている（図７参照）。また、始動用開口５２は、遊技球が１球ずつ通過する幅に下方に延びて形成された始動用入賞通路１１３と連通されている。さらに、この始動用入賞通路１１３は入賞装置４０の下部通路１１４に開口形成されて下方に延びる入賞球排出通路１１５と連通されている（図８参照）。すなわち、始動入賞具５０へ入賞した遊技球は、始動用入賞通路１１３を１球ずつ通過して、入賞球排出通路１１５から遊技盤２０の裏面へ排出されるようになっている。
【００２７】
始動用入賞通路１１３には、遊技球が通過可能な平面視略八角形状の検出孔部１３５ａを有し遊技球がこの検出孔部１３５ａを通過したときにこれを磁気的に検出する始動入賞センサ１３５が設けられている。この始動入賞センサ１３５は、始動用入賞通路１１３内に設けられたセンサホルダ１３６により前後方向に挿抜自在に収容されている。この始動入賞センサ１３５は、ハイ信号及びロー信号の２通りの状態をとる始動入賞信号を出力する。この始動入賞信号は、遊技球の通過を検出していないときにはハイ信号として出力されるが、遊技球が通過する間のみロー信号として出力される。なお、光学的又は機械的センサが始動入賞センサとして使用されることもある。
【００２８】
取付板４２の裏面には、後方へ突出した左右２箇所の軸受部４３，４４が設けられている。この軸受部４３，４４には、上方に開放され左右に延びる軸受溝４３ａ，４４ａが各々設けられている。また、仕切壁１０７における左右両側壁には、各々の壁面を左右に貫通する軸受孔１０７ａ，１０７ｂが形成されている。
【００２９】
左大入賞具６０を構成する矩形平板状の左開閉扉６１には、左右両端に設けられて左右側方に各々突出する係合軸６３，６４を有している。この係合軸６３は軸受溝４３ａと嵌合し、係合軸６４は軸受孔１０７ａ内に装着される。このようにして入賞装置４０に取り付けられた左開閉扉６１は、その一端側を左右に延びる回動軸６５を回動中心として、遊技盤２０の前後方向に回動可能である。すなわち、この左開閉扉６１は、直立した状態で左大入賞用開口６２を閉鎖する閉鎖位置と、遊技盤２０に対して上端が前方に傾斜した状態で遊技球を受容可能な開放位置との間で、回動軸６５を回動中心として回動変位可能となっている。また、係合軸６３とは別に、左開閉扉６１の左側端部には、左方に延びて後述する規制片８４の長穴８５と係合する係止片６６が設けられている。
【００３０】
同様に、右大入賞具７０を構成する矩形平板状の右開閉扉７１には、左右に設けられて左右側方に各々突出する係合軸７３，７４が設けられている。この係合軸７３は軸受溝４４ａと嵌合し、係合軸７４は軸受孔１０７ｂ内に装着される。このようにして入賞装置４０に取り付けられた右開閉扉７１は、その一端側を左右に延びる回動軸７５を回動中心として、遊技盤２０の前後方向に回動可能である。すなわち、この右開閉扉７１は、直立した状態で右大入賞用開口７２を閉鎖する閉鎖位置と、遊技盤２０に対して前方に傾斜した開放位置との間で、回動軸７５を回動中心として回動変位可能となっている。また、係合軸７３とは別に、右開閉扉７１の右側端部には、右方に延びて後述する規制片９４の長穴９５と係合する係止片７６が設けられている。
【００３１】
上記のように構成される左右の開閉扉６１，７１を各々開閉作動させるための駆動機構として、各々上下に延びて上下方向に移動可能なプランジャ８２，９２を有した左右の大入賞具開放ソレノイド８１，９１が入賞装置４０内に配設されている。ここでは、右開閉扉７１を開閉作動させるために配設された右大入賞具開放ソレノイド９１等を例に開閉扉の駆動機構を説明する。図１０に示すように、この駆動機構は、ソレノイド９１のほか、プランジャ９２、バネ９３および規制片９４を有して構成される。
【００３２】
ソレノイド９１への通電がない状態では、プランジャ９２は、プランジャ９２に被せられたバネ９３のプランジャ９２に沿う方向への復元力により、下方に突出した状態を保っている。このプランジャ９２の先端には、側面視クランク状の規制片９４が取り付けられている。この規制片９４の先端部の側面には、前後に延びる長穴９５が設けられており、この長穴９５と、右開閉扉７１の係止片７６とが係合するようになっている。バネ９３の復元力は、規制片９４を介して長穴９５と係合する係止片７６に伝達され、係止片７６が下方に押圧されることで右開閉扉７１が直立した閉鎖位置に保持される。
【００３３】
ソレノイド９１への通電で、プランジャ９２がバネ９３の復元力に抗してソレノイド９１内へ引き込まれると、これとともに規制片９４が上動する。このとき、係止片７６が長穴９５内を規制片９４の基端側に移動する。そして、右開閉扉７１は、自重によりその下端の回動軸７５を回動中心として図１０における矢印Ｄ方向に回動し、遊技盤２０に対して前傾する状態になり、右大入賞具７０が開放される。また、自重により所定の角度まで前傾した右開閉扉７１は、係止片７６と規制片９４とが係合することで、それ以上の回動が規制され、右開閉扉７１が所定の以上の角度に前傾するのが阻止されるようになっている。
【００３４】
一方、ソレノイド９１への通電が切断されると、バネ９３の復元力によりプランジャ９２は下方に突出し、これにともなって規制片９４が下方へ移動する。このため、係止片７６は長穴９５の先端側に移動して下方に押し付けられ、右開閉扉７１はその回動軸７５回りに後方に（遊技盤２０の側に）回動して右大入賞具７０が閉鎖される。以上、右開閉扉７１を例にこれを開閉させる駆動機構を説明したが、左開閉扉６１の開閉に関する駆動機構も上記右開閉扉７１の場合と同様で、当該駆動機構はソレノイド８１のほか、プランジャ８２、バネ８３および規制片８４を有して構成され、プランジャ８２の先端に取り付けられた規制片８４と左開閉扉６１の係止片６６とを係合させることで、左開閉扉６１の開閉作動が制御される。
【００３５】
入賞装置４０の内部であって右大入賞用開口７２側には、入賞装置４０の奥側に向かってやや下傾する右転がり面１０１が形成され、同様に、左大入賞用開口６２側には入賞装置４０の奥側に向かってやや下傾する左転がり面１０２が形成されている（図７参照）。さらに、左転がり面１０２の一部は、左転がり面１０２上を前後に延びる仕切壁１０５により左右の領域に分けられて、平面視で右側の第１球通路側転がり面１０３と平面視で左側の第２球通路側転がり面１０４とが形成されている。また、第１球通路側転がり面１０３と右転がり面１０１とを繋ぐ転がり面１０６が第１球通路側転がり面１０３側から右転がり面１０１側に向けて下傾して形成されている。
【００３６】
右転がり面１０１の右奥隅側には非特定領域と称される第１球通路１１１が、第２球通路側転がり面１０４の奥側には特定領域（いわゆるＶゾーン）と称される第２球通路１１２が、いずれも下方に延びて形成されている。また、第２球通路１１２の上部には、左右方向に移動変位して第２球通路１１２の入口を開閉させるシャッタ１２１が左右に延びて配設されている。
【００３７】
上記シャッタ１２１の駆動機構として、左右に移動可能なプランジャ１２３を有した特定領域ソレノイド１２２がシャッタ１２１の左方に設けられている。シャッタ１２１は正面視でＬ字形に形成され、その基端側がプランジャ１２３の先端部に取り付けられている。この特定領域ソレノイド１２２への通電がない状態では、図７および図８に示すように、プランジャ１２３はプランジャ１２３に被せられたバネ１２４のプランジャ１２３に沿う方向への復元力により、右方に突出した状態を保っている。この状態では、シャッタ１２１により、第２球通路１１２の入口は閉鎖されている。このため、第２球通路側転がり面１０４を流れてきた遊技球は、第２球通路１１２内に突入できずに、転がり面１０６上を第１球通路１１１に向けて右方に流れる。
【００３８】
特定領域ソレノイド１２２への通電で、プランジャ１２３がバネ１２４の復元力に抗して特定領域ソレノイド１２２内へ引き込まれると、これとともにシャッタ１２１が左動する。このため、第２球通路１１２の入口は開放されて第２球通路側転がり面１０４を流れてきた遊技球は、第２球通路１１２内へ突入可能となる。一方、特定領域ソレノイド１２２への通電が切断されると、バネ１２４の復元力によりプランジャ１２３は右動し、これにともなってシャッタ１２１が右動して第２球通路１１２の入口が閉鎖される。
【００３９】
第１球通路１１１には、遊技球が通過可能な平面視略八角形状の検出孔部１３１ａを有し遊技球がこの検出孔部１３１ａを通過したときにこれを磁気的に検出する球検出センサ１３１が設けられている（図７および図８参照）。この球検出センサ１３１は、第１球通路１１１に設けられたセンサホルダ１３２により前後方向に挿抜自在に収容されている。この球検出センサ１３１は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサがこの球検出センサ１３１として使用されることもある。
【００４０】
同様に、第２球通路１１２には、遊技球が通過可能な平面視略八角形状の検出孔部１３３ａを有し遊技球がこの検出孔部１３３ａを通過したときにこれを磁気的に検出する球検出センサ１３３が設けられている（図７および図８参照）。この球検出センサ１３３は、第２球通路１１２に設けられたセンサホルダ１３４により前後方向に挿抜自在に収容されている。この球検出センサ１３３は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサがこの球検出センサとして使用されることもある。
【００４１】
また、第１球通路１１１の下部は下部通路１１４に開口形成されて下方に延びる入賞球排出通路１１５と連通されており、第１球通路１１１内を通過した遊技球は、下部通路１１４を通って入賞球排出通路１１５から遊技盤２０の裏面へ排出されるようになっている。同様に、第２球通路１１２の下部は下部通路１１４に開口形成されて下方に延びる入賞球排出通路１１５と連通されており、第２球通路１１２内を通過した遊技球は、下部通路１１４を通って入賞球排出通路１１５から遊技盤２０の裏面へ排出されるようになっている。
【００４２】
次に、パチンコ機ＰＭを制御する制御システムの概略を入賞装置４０を例に説明する。図１１に示すように、本制御システムは、遊技盤２０に配設された遊技盤側電気部品である球検出センサ１３１，１３３、始動入賞センサ１３５、ソレノイド中継基板８００、ソレノイド８１，９１，１２２、図柄表示装置２８等と、裏セット盤３０に配設された枠側電気部品である上述の主基板７００等とから構成され、これらがケーブル等により電気的に接続されている。
【００４３】
主基板７００は、球検出センサ１３１，１３３に接続されて球検出センサ１３１，１３３からの球検出信号が入力され、始動入賞センサ１３５に接続されて始動入賞センサ１３５からの検出信号（始動信号）が入力される。また、左大入賞具開放ソレノイド８１、右大入賞具開放ソレノイド９１および特定領域ソレノイド１２２は、ソレノイド中継基板８００を介して主基板７００と各々接続されており、主基板７００からのソレノイド駆動信号が、ソレノイド中継基板８００を介して各ソレノイド８１，９１，１２２に入力され、各ソレノイド８１，９１，１２２を駆動させるようになっている。また、主基板７００からの図柄表示信号が図柄表示装置２８に入力されると、図柄表示装置２８が作動して複数の図柄表示部における図柄の変動表示をさせるようになっている。
【００４４】
主基板７００は、パチンコ機ＰＭの動作全体を管理するシステムプログラム及び遊技用の実行プログラムが予め記憶されている半導体メモリ等で形成された記憶部およびこれらのプログラムを実行するマイクロプロセッサ（以下、「ＣＰＵ」という。）を有する制御部７１０と、主基板７００の制御とは無関係に図柄抽選用の乱数（例えば、０〜６５５３５の６５５３６個の乱数値）を発生させる乱数発生部７２０とから構成されている。
【００４５】
ＣＰＵ７１１は、図柄抽選手段Ｂ７３を有している。主基板７００は、始動入賞センサ１３５からのロー信号（始動信号）を検出すると、この図柄抽選手段Ｂ３５により、乱数発生部７２０から順次発生する６５５３６個の乱数のうちの１つのカウント値を取得することで、図柄表示装置２８における停止図柄の決定が行われる。
【００４６】
制御部７１０には上記のＣＰＵ７１１のほか、ＲＯＭ７１２が設けられており、ＣＰＵ７１１が実行すべき制御プログラム及び制御の過程で必要なデータはＲＯＭ７１２に記載されている。これら必要なデータのうち、例えば図柄データテーブルＢ７４には、図柄表示装置２８における停止図柄を決定するための図柄データが記録されている。個々の図柄データにはアドレス番号が付与されており、１つのアドレス番号から１つの図柄データが特定されることとなっている。上述のように、始動入賞センサ１３５からのロー信号（始動信号）を検出すると、乱数発生部７２０により発生した乱数の中から抽選した図柄抽選用のカウント値と、図柄データテーブルＢ７４内の図柄データとの照合により停止図柄が選択される。そして、主基板７００からの図柄表示信号に基いて選択された所定の図柄が図柄表示装置２８上に表示される。
【００４７】
上記のようにして、図柄抽選手段Ｂ７３による抽選結果に基いて選択された３桁の絵柄もしくは数字の組合せから成る「特別図柄」（例えば、「１４７」，「２５８」）が図柄表示装置２８の液晶画面に表示されるが、この特別図柄のうち、３桁がいずれも同一種類の絵柄の組合せから成るもの（例えば、「１１１」，「７７７」）を「大当たり図柄」と称する。
【００４８】
次にパチンコ機ＰＭにおける遊技の概要について、入賞装置４０を例に図１２から図１３までのフローチャートを参照しつつ説明する。なお、図１２および図１３に示すフローチャートは、丸囲みＡの部分同士が繋がって１つのフローチャートを構成し、丸囲みＢの部分同士が繋がって１つのフローチャートを構成し、さらに、丸囲みＣの部分同士が繋がって１つのフローチャートを構成している。まず、操作ハンドル８を遊技者が操作することで、遊技盤２０に打球が弾球される。この打球は、遊技盤２０上に設けられた図示しない釘等に接触しながら、遊技盤２０を落下する。
【００４９】
そして、ステップＳ１において、遊技盤２０を落下する遊技球が、始動入賞具５０に入賞したか否かが判断される。ここで、始動入賞具５０へ入賞したものと判断された場合に、既に保留球数が４個に達している場合には、上球皿６のうち横型長方形をなし前枠２に対して開閉可能な当て板６ａの左側上部に設けられた賞球払出口６ｂから所定の数（例えば５球）の賞球が遊技者に払い出され、（ステップＳ２）ステップＳ３に移行する。一方、保留球数が４個未満で、且つ、図柄表示装置２８における変動表示の最中に始動入賞具５０への入賞があったと判断された場合には、保留球数を１加算した上で、所定の数（例えば５球）の賞球が遊技者に払い出され（ステップＳ２）、ステップＳ３に移行する。
【００５０】
ステップＳ１において、始動入賞具５０に入賞しなかったものと判断された場合には、ステップＳ２０において一般入賞具２５へ入賞したか否かが判断され、ここで一般入賞具２５へ入賞しなかったたものと判断された場合には、直ちにステップＳ３に移行する。また、ステップＳ２０において一般入賞具２５へ入賞したものと判断された場合には、賞球払出口６ｂから所定の数（例えば５球）の賞球が遊技者に払い出された上で（ステップＳ２１）、ステップＳ３に移行する。
【００５１】
ステップＳ３において、制御部７１０に記憶されている保留球数が０であると判断された場合には、以降の図柄の変動処理は実行されることはなく、一方、保留球数が１以上４以下であると判断された場合には、保留球数から１が減算される。そして、主基板７００から制御信号が図柄表示装置２８に出力され、図柄表示装置２８が作動して図柄の変動表示が開始される（ステップＳ４）。なお、図柄表示装置２８における図柄の変動表示の最中に打球が始動入賞具５０に入賞した場合には、保留球数が最大４個まで制御部７１０において記憶され、記憶された保留球数分に相当する回数だけ、以後の図柄表示装置２８の作動が保証されることとなっている。記憶された保留球数は、遊技盤２０上の特別図柄保留ランプ２９，２９，２９，２９が点灯することで遊技者が認識できるようになっている。
【００５２】
そして、続くステップＳ５において、図柄抽選手段Ｂ７３により、乱数発生部７２０により生成される乱数のうちの１つのカウント値が取得され、このカウント値に応じた停止図柄が選択される。そして、主基板７００からの図柄表示信号に基いて選択された所定の図柄が図柄表示装置２８上に表示される（ステップＳ６）。
【００５３】
このとき、図柄抽選手段Ｂ７３により取得されたカウント値が所定の当選値であるか否かが判断され（ステップＳ７）、所定の当選値でない限りは、すなわち、図柄表示装置２８に停止表示された図柄が所定の大当たり図柄でない限りは、主基板７００からソレノイド駆動信号が各ソレノイド８１，９１に出力されないために各ソレノイド８１，９１は通電されず、左右の開閉扉６１，７１は直立した状態のままであり、左右の大入賞具６０，７０は閉鎖状態を保つ（ステップＳ８）。このような左右の開閉扉６１，７１の閉鎖状態では、大入賞具６０，７０内に遊技球の進入ができないようになっている。このため、遊技盤２０上を落下する遊技球は、大入賞具６０，７０内に入らずに、下方のアウト口２７に至る。
【００５４】
一方、図柄抽選手段Ｂ７３により取得されたカウント値が所定の当選値である場合には、すなわち、図柄表示装置２８における図柄変動の結果、停止表示される特別図柄が所定の大当たり図柄の場合には、「大当たり遊技」が発生する。この大当たり遊技においては、この大当たり遊技においては、主基板７００からソレノイド駆動信号が各ソレノイド８１，９１に向けて出力されて各ソレノイド８１，９１が通電され、普段は閉鎖している左右の開閉扉６１，７１が所定の角度に前傾した位置まで回動し、左大入賞具６０および右大入賞具７０は一斉に開放状態となる（ステップＳ９）。このような開放状態では、左右の開閉扉６１，７１が遊技盤２０上を落下してくる遊技球を受けて、左右の大入賞具６０，７０内への遊技球の進入が可能となる。このとき、入賞装置４０内では、主基板７００から特定領域ソレノイド１２２に向けて制御信号が出力されて特定領域ソレノイド１２２が通電され、シャッタ１２１が左動することによって第２球通路１１２の入口が開放される（ステップＳ１０）。
【００５５】
左右の開閉扉６１，７１の開放後、右開閉扉７１に受容されて右転がり面１０１に進入した遊技球は、第１球通路１１１内に突入する。このとき、第１球通路１１１内に設けられた球検出センサ１３１の検出孔部１３１ａを遊技球が通過して、その検出が行われ（ステップＳ１１）、賞球払出口６ｂから所定の数（例えば１５球）の賞球が払い出される（ステップＳ１２）。また、左開閉扉６１に受容されて左転がり面１０２に進入した遊技球のうち、仕切壁１０５よりも右側の第１球通路側転がり面１０３を通過する遊技球は、下傾する転がり面１０６によって右転がり面１０１側に誘導されて、第１球通路１１１内に突入する。このとき、第１球通路１１１内に設けられた球検出センサ１３１の検出孔部１３１ａを遊技球が通過して、その検出が行われ（ステップＳ１１）、賞球払出口６ｂから所定の数（例えば１５球）の賞球が払い出される（ステップＳ１２）。
【００５６】
一方、左扉部６１ａに受容されて左転がり面１０２に進入した遊技球のうち、仕切壁１０５よりも左側の第２球通路側転がり面１０４を通過する遊技球は、第２球通路１１２内に突入する。このとき、第２球通路１１２内に設けられた球検出センサ１３３の検出孔部１３３ａを遊技球が通過して、その検出が行われ（ステップＳ１３）、賞球払出口６ｂから所定の数（例えば１５球）の賞球が払い出される（ステップＳ１４）。これとともに、球検出センサ１３３による遊技球の検出が行われると、主基板７００から特定領域ソレノイド１２２に向けて制御信号が出力されて特定領域ソレノイド１２２への通電が遮断され、シャッタ１２１が右動して第２球通路１１２の入口が閉鎖される（ステップＳ１５）。そしてこれ以降、再び開閉扉６１，７１が開放されるまでは、シャッタ１２１は第２球通路１１２の入口を閉鎖したままの状態となる。
【００５７】
左右の大入賞具６０，７０は、これらが一斉に開放されて所定の時間（例えば３０秒間）経過するか、又は球検出センサ１３１，１３３により所定の数（例えば１０球）の入賞の検出があるかの判断により（ステップＳ１６）、いずれかの条件を満たした場合に一旦閉鎖する（ステップＳ１７）。そして、これら左右の大入賞具６０，７０が開放していた間に、入賞装置４０の内部に設けられた第２球通路１１２（特定領域）への入賞があったと判断された場合には（ステップＳ１８）、大入賞具６０，７０は上記のように一旦閉鎖した後、再度開放することとなっている。これにより、大入賞具６０，７０の開放は、所定の回数（例えば１６回）連続することが可能となっている。また、大入賞具６０，７０が所定の回数（例えば１６回）開放し終えるか、又は大入賞具６０，７０の開放中に第２球通路１１２への入賞がなかった場合には（ステップＳ１９）、この大当たり遊技は終了する。
【００５８】
なお、第１の実施の形態は上述した実施形態に必ずしも限定されるものではなく、入賞装置４０´を図３に示すような図柄表示装置２８の左斜め下方の位置に限らず、設置できるスペースを確保可能ならば、図柄表示装置２８を大きくするために図３に示す以外の遊技盤２０上の任意の位置に設けてもよい。
【００５９】
以上説明したように、第１の実施の形態においては、複数の入賞装置が特徴ある構成を有しており、これら複数の入賞装置をそのレイアウトを考慮しつつ遊技盤上に設置すれば、遊技盤上に新たな入賞装置を設置する場所を確保することができたり、図柄表示装置を大きくすることができる。そして、遊技盤上を落下する遊技球の落下経路によっては、遊技球が複数の入賞装置のうちの一方の入賞装置に入賞し易かったり、あるいは、他方の入賞装置に入賞し易かったりするために遊技性を高めることができる。
【実施例２】
【００６０】
ここで、本発明に係る弾球遊技機の第２の実施の形態について図１４乃至図２１を参照して第１の実施の形態と相違する部分を中心に説明する。なお、図１４は第２の実施の形態におけるパチンコ機の遊技盤上に設けられた複数の入賞装置を示す正面図で、図１５は入賞装置周辺を示す斜視図で、図１６は入賞装置に設けられた開閉扉周辺を示す平断面図で、図１７は入賞装置を示す平断面図で、図１８は図１７中の矢印Ｃ−Ｃに沿った正断面図で、図１９は図１７中の矢印Ａ−Ａに沿った部分側断面図で、図２０は図１７中の矢印Ｂ−Ｂに沿った部分側断面図で、そして、図２１は弾球遊技機の制御システムの概略を表したブロック図である。
【００６１】
図１４に示すように、図柄表示装置２８の下方には第１の入賞装置１４０が、図柄表示装置２８の斜め左下方には第１の入賞装置１４０と同じ構成を有する第２の入賞装置１４０´が設けられていて、遊技盤２０は複数の入賞装置を有している。なお、第１の入賞装置１４０と第２の入賞装置１４０´とは同じ構成を有しているため、以下では、第１の入賞装置１４０（以下、「入賞装置１４０」という。）を例に、本発明に係る入賞装置について説明する。
【００６２】
図柄表示装置２８の下方には、入賞装置１４０を遊技盤２０に取り付けて固定するための図示しない配設孔が設けられており、この配設孔は、遊技盤２０の前面に形成される遊技領域ＰＡから遊技盤２０の裏面側へと貫通形成されている。また、入賞装置１４０は、後述するソレノイド類が収納され上記配設孔内に取付可能な直方体状の筐体１４１と、筐体１４１の前面側を覆う平板状の取付板１４２とを有して構成され、筐体１４１を配設孔内に遊技盤２０の表側から装入し、取付板１４２に形成された図示しない取付孔を介して遊技盤２０の前面にビス止めすることで入賞装置１４０が遊技盤２０に固設される。
【００６３】
この入賞装置１４０は、上述したように、始動入賞具１５０および左右の大入賞具１６０，１６０´を有しており、左大入賞具１６０は始動入賞具１５０の左側に隣接して配設され、右大入賞具１６０´は始動入賞具１５０を挟んで左大入賞具１６０に対して右側に配設されている。図１５に示すように、入賞装置１４０の前面には遊技球を受容可能な矩形状の３箇所の開口、すなわち始動用開口１５２、この始動用開口１５２を挟んで左側に左大入賞用開口１６２、右側に右大入賞用開口１６２´が形成されている。左大入賞用開口１６２および右大入賞用開口１６２´はともに左右に同一の長さを有している。
【００６４】
また、遊技盤２０に取り付けられた開閉扉６１は、平板状の左右の扉部１６１ａ，１６１ｂとこれらに挟まれた曲面部１６１ｃとを有して遊技盤２０に対して前後に回動自在に構成され、開閉扉１６１が直立した閉鎖位置にあるときには、左扉部１６１ａが上記左大入賞用開口１６２を閉鎖するように覆い、また、右扉部１６１ｂが右大入賞用開口１６２´を閉鎖するように覆い、さらに、曲面部１６１ｃが始動用開口１５２を遊技盤２０の前面側に突出して遊技盤２０の上方に向けて開口を形成する状態に覆うようになっている。一方、開閉扉１６１が遊技盤２０に対してその上端が前方に傾斜した開放位置では、左右の扉部１６１ａ，１６１ｂが落下する遊技球を受容して左右の大入賞用開口６２，６２´内へと誘導するようになっている。そして、左扉部１６１ａにより左大入賞用開口１６２が開閉可能に構成されることで左大入賞具１６０が構成され、右扉部１６１ｂにより右大入賞用開口１６２´が開閉可能に構成されることで右大入賞具１６０´が構成される。なお、図１５に示すように、曲面部１６１ｃの端部は後述する理由から、斜めに切り欠かれた形状になっている。
【００６５】
始動用開口１５２の下側の一部は、遊技盤２０の上方に向けて開口した平面視Ｕ字形の球受部材１５１により覆われていて、この球受部材１５１と閉鎖位置にある開閉扉１６１の曲面部１６１ｃとで始動入賞具１５０が構成される。図１９に示すように、球受部材１５１の内側は曲面１５１ａが形成され始動入賞具１５０に落入した遊技球がこの曲面１５１ａにより案内されて始動用開口１５２内へと誘導されるようになっている。始動用開口１５２は、その左右開口幅が遊技球の外径よりも大きく形成されており、遊技球が１球ずつこの始動用開口１５２内に進入できるようになっている。始動用開口１５２内には、平面視でコの字形に形成された仕切壁２０７が設けられ、始動用開口１５２の内部は後述する右転がり面２０１および左転がり面２０２とは隔絶されている（図１７参照）。また、始動用開口１５２は、遊技球が１球ずつ通過する幅に下方に延びて形成された始動用入賞通路２１３と連通されている。さらに、この始動用入賞通路２１３は入賞装置１４０の下部通路１１４に開口形成されて下方に延びる入賞球排出通路１１５と連通されている（図１８参照）。すなわち、始動入賞具１５０へ入賞した遊技球は、始動用入賞通路２１３を１球ずつ通過して、入賞球排出通路１１５から遊技盤２０の裏面へ排出されるようになっている。
【００６６】
なお、図１５に示すように、仕切壁２０７，２０７を各々前方に延出させた仕切壁２０８を設けるようにしてもよい。このようにすることで、遊技盤２０を落下して始動入賞具１５０上方の釘に当たった遊技球が、大入賞用開口１６２，１６２´の側に流れることなく始動用開口１５２内へと確実に誘導されるようになる。この場合、左扉部１６１ａと曲面部１６１ｃとの境目および右扉部１６１ｂと曲面部１６１ｃとの境目を、いずれも図１５の鎖線にて示すように、より緩やかに形成することで、閉鎖位置にある開閉扉１６１が仕切壁２０８と干渉しないようにすることが可能である。
【００６７】
また、同じく図１５に示すように、左扉部１６１ａ上の曲面部１６１ｃ側の端部および右扉部１６１ｂ上の曲面部１６１ｃ側の端部に、前後に延びる直方体状のリブ１６７を設けてもよい。このようにすることで、開放位置にある開閉扉１６１の左扉部１６１ａもしくは右扉部１６１ｂ上を転動する遊技球が、曲面部１６１ｃの側に流れることなく左右の大入賞用開口１６２，１６２´内へと確実に誘導されるようになる。
【００６８】
始動用入賞通路２１３には、遊技球が通過可能な平面視略八角形状の検出孔部２３５ａを有し遊技球がこの検出孔部２３５ａを通過したときにこれを磁気的に検出する始動入賞センサ２３５が設けられている。この始動入賞センサ２３５は、始動用入賞通路２１３内に設けられたセンサホルダ２３６により前後方向に挿抜自在に収容されている。この始動入賞センサ２３５は、ハイ信号及びロー信号の２通りの状態をとる始動入賞信号を出力する。この始動入賞信号は、遊技球の通過を検出していないときにはハイ信号として出力されるが、遊技球が通過する間のみロー信号として出力される。なお、光学的又は機械的センサが始動入賞センサとして使用されることもある。
【００６９】
取付板１４２の裏面には、後方へ突出した左右２箇所の軸受部１４３，１４４が設けられている。この軸受部１４３，１４４には、上方が開放され左右に延びる軸受溝１４３ａ，１４４ａが各々設けられている。また、左大入賞具１６０を構成する左扉部１６１ａの左側端部には、左方に突出する係合軸１６３が、右大入賞具１６０´を構成する右扉部１６１ｂの右側端部には、右方に突出する係合軸１６４が設けられている。係合軸１６３は上記軸受溝１４３ａと嵌合し、係合軸１６４は軸受溝１４４ａと嵌合する。このようにして入賞装置１４０に取り付けられた開閉扉１６１は、その左右に渡って延びる回動軸１６５を回動中心として、遊技盤２０の前後方向に回動可能である。すなわち、この開閉扉１６１は、直立した状態で左大入賞用開口１６２および右大入賞用開口１６２´を閉鎖する閉鎖位置と、遊技盤２０に対して前方に傾斜した開放位置との間で、回動軸１６５を回動中心として回動変位可能となっている。また、係合軸１６４とは別に、右扉部１６１ｂの右側端部には、右方に延びて後述する規制片１９４の長穴１９５と係合する係止片１６６が設けられている。
【００７０】
上記のように構成される開閉扉１６１を開閉作動させるための駆動機構として、上下に延びて上下方向に移動可能なプランジャ１９２を有した大入賞具開放ソレノイド１９１が入賞装置１４０内に配設されている。図２０に示すように、この駆動機構は、当該ソレノイド１９１のほか、プランジャ１９２、バネ１９３および規制片１９４から構成される。
【００７１】
ソレノイド１９１への通電がない状態では、プランジャ１９２は、プランジャ１９２に被せられたバネ１９３のプランジャ１９２に沿う方向への復元力により、下方に突出した状態を保っている。このプランジャ１９２の先端には、側面視クランク状の規制片１９４が取り付けられている。この規制片１９４の先端部の側面には、前後に延びる長穴１９５が設けられており、この長穴１９５と、開閉扉１６１の係止片１６６とが係合するようになっている。バネ１９３の復元力は、規制片１９４を介して長穴１９５と係合する係止片１６６に伝達され、係止片１６６が下方に押圧されることで開閉扉１６１が直立した閉鎖位置に保持される（図２０において実線で表される開閉扉１６１）。
【００７２】
ソレノイド１９１への通電で、プランジャ１９２がバネ１９３の復元力に抗してソレノイド１９１内へ引き込まれると、これとともに規制片１９４が上動する。このとき、係止片１６６が長穴１９５内を規制片１９４の基端側に移動する。そして、開閉扉１６１は、自重によりその下端の回動軸１６５を回動中心として図２０における矢印Ｄ方向に回動し、遊技盤２０に対して前傾する状態になり、左大入賞具１６０および右大入賞具１６０´が開放される（図２０において開放された開閉扉１６１を鎖線で示す）。なお、上記のように、曲面部１６１ｃの端部は斜めに切り欠かれた形状になっている。このため、曲面部１６１ｃの矢印Ｄ方向への回動の過程で、曲面部１６１ｃが遊技盤２０前方にある透明板材５ａに接触するのが防止されるようになっている。
【００７３】
そして、このようにして開放位置に位置した開閉扉１６１は、その曲面部１６１ｃが丁度球受部材１５１の下方に潜り込むような状態になる。また、自重により所定の角度まで前傾した開閉扉１６１は、係止片１６６と規制片１９４とが係合することで、それ以上の回動が規制され、開閉扉１６１が所定の以上の角度に前傾されるのが阻止されるようになっている。
【００７４】
一方、ソレノイド１９１への通電が切断されると、バネ１９３の復元力によりプランジャ１９２は下方に突出し、これにともなって規制片１９４が下方へ移動する。このため、係止片１６６は長穴１９５の先端側に移動して下方に押し付けられ、開閉扉１６１はその回動軸１６５回りに後方に（遊技盤２０の側に）回動して左大入賞具１６０および右大入賞具１６０´が閉鎖される。
【００７５】
入賞装置１４０の右大入賞用開口１６２´側には、入賞装置１４０の奥側に向かってやや下傾する右転がり面２０１が形成され、同様に、左大入賞用開口１６２側には入賞装置１４０の奥側に向かってやや下傾する左転がり面２０２が形成されている（図１７参照）。さらに、左転がり面２０２の一部は、左転がり面２０２上を前後に延びる仕切壁２０５により左右の領域に分けられて、平面視で右側の第１球通路側転がり面２０３と平面視で左側の第２球通路側転がり面２０４とが形成されている。また、第１球通路側転がり面２０３と右転がり面２０１とを繋ぐ転がり面２０６が第１球通路側転がり面２０３側から右転がり面２０１側に向けて下傾して形成されている。
【００７６】
右転がり面２０１の右奥隅側には非特定領域と称される第１球通路２１１が、第２球通路側転がり面２０４の奥側には特定領域（いわゆるＶゾーン）と称される第２球通路２１２が、いずれも下方に延びて形成されている。また、第２球通路２１２の上部には、左右方向に移動変位して第２球通路２１２の入口を開閉させるシャッタ１２１が左右に延びて配設されている。
【００７７】
上記シャッタ２２１の駆動機構として、左右に移動可能なプランジャ２２３を有した特定領域ソレノイド２２２がシャッタ２２１の左方に設けられている。シャッタ２２１は正面視でＬ字形に形成され、その基端側がプランジャ２２３の先端部に取り付けられている。この特定領域ソレノイド２２２への通電がない状態では、図１７および図１８に示すように、プランジャ２２３はプランジャ２２３に被せられたバネ２２４のプランジャ２２３に沿う方向への復元力により、右方に突出した状態を保っている。この状態では、シャッタ２２１により、第２球通路２１２の入口は閉鎖されている。このため、第２球通路側転がり面２０４を流れてきた遊技球は、第２球通路２１２内へ突入できずに、転がり面２０６上を第１球通路２１１に向けて右方に流れる。
【００７８】
特定領域ソレノイド２２２への通電で、プランジャ２２３がバネ２２４の復元力に抗して特定領域ソレノイド２２２内へ引き込まれると、これとともにシャッタ２２１が左動する。このため、第２球通路２１２の入口は開放されて第２球通路側転がり面２０４を流れてきた遊技球は、第２球通路２１２内へ突入可能となる。一方、特定領域ソレノイド２２２への通電が切断されると、バネ２２４の復元力によりプランジャ２２３は右動し、これにともなってシャッタ２２１が右動して第２球通路２１２の入口が閉鎖される。
【００７９】
第１球通路２１１には、遊技球が通過可能な平面視略八角形状の検出孔部２３１ａを有し遊技球がこの検出孔部２３１ａを通過したときにこれを磁気的に検出する球検出センサ２３１が設けられている（図１７および図１８参照）。この球検出センサ２３１は、第１球通路２１１に設けられたセンサホルダ２３２により前後方向に挿抜自在に収容されている。この球検出センサ２３１は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサがこの始動入賞センサ２３５として使用されることもある。
【００８０】
同様に、第２球通路２１２には、遊技球が通過可能な平面視略八角形状の検出孔部２３３ａを有し遊技球がこの検出孔部２３３ａを通過したときにこれを磁気的に検出する球検出センサ２３３が設けられている（図１７および図１８参照）。この球検出センサ２３３は、第２球通路２１２に設けられたセンサホルダ２３４により前後方向に挿抜自在に収容されている。この球検出センサ２３３は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサが始動入賞センサとして使用されることもある。
【００８１】
また、第１球通路２１１の下部は下部通路２１４に開口形成されて下方に延びる入賞球排出通路２１５と連通されており、第１球通路２１１内を通過した遊技球は、下部通路２１４を通って入賞球排出通路２１５から遊技盤２０の裏面へ排出されるようになっている。同様に、第２球通路２１２の下部は下部通路２１４に開口形成されて下方に延びる入賞球排出通路２１５と連通されており、第２球通路２１２内を通過した遊技球は、下部通路２１４を通って入賞球排出通路２１５から遊技盤２０の裏面へ排出されるようになっている。
【００８２】
図２１に示すように、本実施例におけるパチンコ機ＰＭを制御する制御システムは、第１の実施の形態と概ね同様である。ただし、大入賞具開放ソレノイド１９１がソレノイド中継基板８００を介して主基板７００に接続されており、主基板７００からのソレノイド駆動信号が、ソレノイド中継基板８００を介してソレノイド１９１に入力され、ソレノイド９１を駆動させるようになっている。そして、ソレノイド１９１の駆動により、一体に形成された左右の扉部１６１ａ，１６１ｂを開閉させることができるようになっている。
【００８３】
なお、第２の実施の形態は上述した実施形態に必ずしも限定されるものではなく、入賞装置１４０´を図１４に示すような図柄表示装置２８の左斜め下方の位置に限らず、設置できるスペースを確保可能ならば、図柄表示装置２８を大きくするために図１４に示す以外の遊技盤２０上の任意の位置に設けてもよい。
【００８４】
以上説明したように、第２の実施の形態においては、第１の実施の形態と同様に複数の入賞装置が特徴ある構成を有しており、これら複数の入賞装置をそのレイアウトを考慮しつつ遊技盤上に設置すれば、遊技盤上に新たな入賞装置を設置する場所を確保することができたり、図柄表示装置を大きくすることができる。そして、遊技盤上を落下する遊技球の落下経路によっては、遊技球が複数の入賞装置のうちの一方の入賞装置に入賞し易かったり、あるいは、他方の入賞装置に入賞し易かったりするために遊技性を高めることができる。
【００８５】
なお、これまで本発明の好ましい実施形態について説明してきたが、本発明の範囲は上述した実施形態に必ずしも限定されるものではない。例えば図２２に示すように、遊技盤２０上に、第１の実施の形態に係る入賞装置４０を図柄表示装置２８の下方に、第２の実施の形態に係る入賞装置１４０を図柄表示装置２８の斜め左下方に設けるようにしてもよい。また、入賞装置１４０を図２２に示すような位置に限らず、設置できるスペースを確保可能ならば、遊技盤２０上の任意の位置に設けてもよい。
【図面の簡単な説明】
【００８６】
【図１】本発明に係る弾球遊技機の入賞装置を備えたパチンコ機の一例を示す正面図である。
【図２】上記パチンコ機の裏面側を示す背面図である。
【図３】上記パチンコ機の遊技盤上に設けられた複数の入賞装置を示す正面図である。
【図４】上記入賞装置に設けられた開口部を示す正面図である。
【図５】上記入賞装置周辺を示す斜視図である。
【図６】上記入賞装置に設けられた開閉扉周辺を示す平断面図である。
【図７】上記入賞装置を示す平断面図である。
【図８】図７中の矢印Ｃ−Ｃに沿った正断面図である。
【図９】図７中の矢印Ａ−Ａに沿った部分側断面図である。
【図１０】図７中の矢印Ｂ−Ｂに沿った部分側断面図である。
【図１１】上記弾球遊技機に設けられている制御システムの概略を表したブロック図である。
【図１２】上記パチンコ機における遊技の概要を示すフローチャートである。
【図１３】上記パチンコ機における遊技の概要を示すフローチャートである。
【図１４】第２の実施の形態におけるパチンコ機の遊技盤上に設けられた複数の入賞装置を示す正面図である。
【図１５】第２の実施の形態における上記入賞装置周辺を示す斜視図である。
【図１６】第２の実施の形態における上記入賞装置に設けられた開閉扉周辺を示す平断面図である。
【図１７】第２の実施の形態における上記入賞装置を示す平断面図である。
【図１８】図１７中の矢印Ｃ−Ｃに沿った正断面図である。
【図１９】図１７中の矢印Ａ−Ａに沿った部分側断面図である。
【図２０】図１７中の矢印Ｂ−Ｂに沿った部分側断面図である。
【図２１】第２の実施の形態における弾球遊技機の制御システムの概略を表したブロック図である。
【図２２】パチンコ機の遊技盤上に設けられた複数の入賞装置の一実施形態を示す正面図である。
【符号の説明】
【００８７】
ＰＭ  パチンコ機（弾球遊技機）
１  外枠
２  前枠
２０  遊技盤
２５  一般入賞具
２８  図柄表示装置
４０  入賞装置（第１の入賞装置）
４０´  入賞装置
５０  始動入賞具（通常入賞具、第１の通常入賞具）
５１  受容部材（第１の受容部材）
５２  始動用開口（通常入賞用開口、第１の通常入賞用開口）
６０  左大入賞具（特別入賞具）
６０´  左大入賞具（特別入賞具）
６１  左開閉扉（開閉部材）
６２  左大入賞用開口（特別入賞用開口、第１の特別入賞用開口）
７０  右大入賞具（特別入賞具）
７０´  右大入賞具（特別入賞具）
７１  右開閉扉（開閉部材）
７２  右大入賞用開口（特別入賞用開口、第１の特別入賞用開口）
１３１  球検出センサ（特別入賞用検出手段、第１の特別入賞用検出手段）
１３３  球検出センサ（特別入賞用検出手段、第１の特別入賞用検出手段）
１３５  始動入賞センサ（通常入賞用検出手段、第１の通常入賞用検出手段）
１４０  入賞装置（第２の入賞装置）
１５１  球受部材（受容部材、第２の受容部材）
１５２  始動用開口（通常入賞用開口、第２の通常入賞用開口）
１６１  開閉扉（可動部材）
１６１ａ  左扉部（扉部）
１６１ｂ  右扉部（扉部）
１６１ｃ  曲面部（開口形成部）
１６２  大入賞用開口（特別入賞用開口、第２の特別入賞用開口）
１６２´  大入賞用開口（特別入賞用開口、第２の特別入賞用開口）
２３１  球検出センサ（特別入賞用検出手段、第２の特別入賞用検出手段）
２３３  球検出センサ（特別入賞用検出手段、第２の特別入賞用検出手段）
２３５  始動入賞センサ（通常入賞用検出手段、第２の通常入賞用検出手段）
【図１】
2006075186.tif 000003
【図２】
2006075186.tif 000004
【図３】
2006075186.tif 000005
【図４】
2006075186.tif 000006
【図５】
2006075186.tif 000007
【図６】
2006075186.tif 000008
【図７】
2006075186.tif 000009
【図８】
2006075186.tif 000010
【図９】
2006075186.tif 000011
【図１０】
2006075186.tif 000012
【図１１】
2006075186.tif 000013
【図１２】
2006075186.tif 000014
【図１３】
2006075186.tif 000015
【図１４】
2006075186.tif 000016
【図１５】
2006075186.tif 000017
【図１６】
2006075186.tif 000018
【図１７】
2006075186.tif 000019
【図１８】
2006075186.tif 000020
【図１９】
2006075186.tif 000021
【図２０】
2006075186.tif 000022
【図２１】
2006075186.tif 000023
【図２２】
2006075186.tif 000024